(57)【要約】【課題】選択条件に合致する複数の車両の中から利用者が選択可能であると共に、選択されなかった車両に対するセキュリティを確保可能な共用車両管理システム及び方法を提供する。【解決手段】駐車場１００に配車されている複数の車両３ａ−３ｄを識別情報で特定される複数の利用者により共用する共用車両管理システム１であって、利用者の識別情報を取得する利用者認識手段（管理制御ユニット２１）と、識別情報に関連付けられた車両選択条件に合致する複数台の候補車両３ａ−３ｃに対してドア開錠信号を送信することにより、駐車場１００の候補車両のドア施錠装置を開錠して候補車両３ａ−３ｃを選択可能状態とする施錠制御手段（管理制御ユニット２１）と、候補車両から利用車両が特定されたことに基づいて、利用車両以外の候補車両を走行不能化する走行不能制御手段（管理制御ユニット２１）と、を備えた。【選択図】図４
2010272103.tif 000002
【特許請求の範囲】
【請求項１】
駐車場に配車されている複数の車両を識別情報で特定される複数の利用者により共用する共用車両管理システムであって、
利用者の識別情報を取得する利用者認識手段と、
前記識別情報に関連付けられた車両選択条件に合致する複数台の候補車両に対してドア開錠信号を送信することにより、駐車場の前記候補車両のドア施錠装置を開錠して前記候補車両を選択可能状態とする施錠制御手段と、
前記候補車両から利用車両が特定されたことに基づいて、前記利用車両以外の候補車両を走行不能化する走行不能制御手段と、
を備えたことを特徴とする共用車両管理システム。
【請求項２】
前記走行不能制御手段は、前記施錠制御手段を介して、前記利用車両以外の候補車両にドア施錠信号を送信することにより、前記利用車両以外の候補車両のドア施錠装置を施錠することを特徴とする請求項１に記載の共用車両管理システム。
【請求項３】
前記走行不能制御手段は、前記施錠制御手段が前記候補車両のドア施錠装置を開錠した後、前記利用車両が特定されることなく所定時間が経過した場合に、前記候補車両を走行不能化することを特徴とする請求項１に記載の共用車両管理システム。
【請求項４】
車両のドア及びトランクリッドの開閉状態を検出する開閉状態検出手段を更に備え、
前記走行不能制御手段は、前記所定時間経過時に、前記開閉状態検出手段が前記候補車両のドア又はトランクリッドの開状態を検出している場合は、前記候補車両に対する走行不能化を不作動にすることを特徴とする請求項３に記載の共用車両管理システム。
【請求項５】
前記走行不能制御手段は、前記所定時間経過後に、前記開閉状態検出手段が前記候補車両のドア及びトランクリッドの閉状態を検出し、且つ、前記利用車両が特定された場合に、前記利用車両以外の候補車両を走行不能化することを特徴とする請求項４に記載の共用車両管理システム。
【請求項６】
利用者の前記識別情報を発信する利用者携帯用の携帯型送信機を更に備え、
前記車両は、前記携帯型送信機が当該車両内及び車両近傍に位置する場合に前記携帯型送信機から識別情報を取得し、識別情報を受信していることを表す近接信号を出力する識別情報取得手段を備え、
前記走行不能制御手段は、前記所定時間経過時に、前記候補車両のうち前記近接信号を出力している車両以外の候補車両を走行不能化することを特徴とする請求項３に記載の共用車両管理システム。
【請求項７】
車両のドア及びトランクリッドの開閉状態を検出する開閉状態検出手段を更に備え、
前記走行不能制御手段は、前記開閉状態検出手段が前記利用車両以外の車両のドア又はトランクリッドの開状態を検出している場合であって、且つ、他の利用者の候補車両が選択可能状態でない場合は、前記利用車両を走行不能化することを特徴とする請求項１に記載の共用車両管理システム。
【請求項８】
利用者の前記識別情報を発信する利用者携帯用の携帯型送信機と、
車両のドア及びトランクリッドの開閉状態を検出する開閉状態検出手段と、
前記候補車両から利用車両が特定される前において、前記開閉状態検出手段が前記候補車両のドア又はトランクリッドの開状態を検出しており、且つ、前記携帯型送信機がドア又はトランクリッドが開状態であると検出されている前記候補車両の車室内及び近傍に位置しない場合に、報知信号を出力する報知手段と、
を更に備えたことを特徴とする請求項１に記載の共用車両管理システム。
【請求項９】
前記報知手段は、前記施錠制御手段が前記候補車両のドア施錠装置を開錠した後、前記利用車両が特定されることなく所定時間が経過した場合であって、前記候補車両から利用車両が特定される前において、前記開閉状態検出手段が前記候補車両のドア又はトランクリッドの開状態を検出しており、且つ、前記携帯型送信機がドア又はトランクリッドが開状態であると検出されている前記候補車両の車室内及び近傍に位置しない場合に、前記報知信号を出力することを特徴とする請求項８に記載の共用車両管理システム。
【請求項１０】
駐車場に配車されている複数の車両を識別情報で特定される複数の利用者により共用する共用車両管理方法であって、
利用者の識別情報を取得する利用者認識ステップと、
前記識別情報に関連付けられた車両選択条件に合致する複数台の候補車両に対してドア開錠信号を送信することにより、駐車場の前記候補車両のドア施錠装置を開錠して前記候補車両を選択可能状態とする施錠制御ステップと、
前記候補車両から利用車両が特定されたことに基づいて、前記利用車両以外の候補車両を走行不能化する走行不能制御ステップと、
を備えたことを特徴とする共用車両管理方法。
【請求項１１】
前記走行不能制御ステップでは、前記利用車両以外の候補車両にドア施錠信号を送信することにより、前記利用車両以外の候補車両のドア施錠装置を施錠することを特徴とする請求項１０に記載の共用車両管理方法。
【請求項１２】
前記走行不能制御ステップでは、前記施錠制御ステップにおいて前記候補車両のドア施錠装置を開錠した後、前記利用車両が特定されることなく所定時間が経過した場合に、前記候補車両を走行不能化することを特徴とする請求項１０に記載の共用車両管理方法。
【請求項１３】
車両のドア及びトランクリッドの開閉状態を検出する開閉状態検出ステップを更に備え、
前記走行不能制御ステップでは、前記所定時間経過時に、前記候補車両のドア又はトランクリッドが開状態である場合は、前記候補車両に対する走行不能化を不作動にすることを特徴とする請求項１２に記載の共用車両管理方法。
【請求項１４】
前記走行不能制御ステップでは、前記所定時間経過後に、前記候補車両のドア及びトランクリッドが閉状態であり、且つ、前記利用車両が特定された場合に、前記利用車両以外の候補車両を走行不能化することを特徴とする請求項１３に記載の共用車両管理方法。
【請求項１５】
利用者の前記識別情報を発信する携帯型送信機が利用者によって保持され、
前記車両は、前記携帯型送信機が当該車両内及び車両近傍に位置する場合に前記携帯型送信機から識別情報を取得し、識別情報を受信していることを表す近接信号を出力する識別情報取得手段を備え、
前記走行不能制御ステップでは、前記所定時間経過時に、前記候補車両のうち前記近接信号を出力している車両以外の候補車両を走行不能化することを特徴とする請求項１２に記載の共用車両管理方法。
【請求項１６】
車両のドア及びトランクリッドの開閉状態を検出する開閉状態検出ステップを更に備え、
前記走行不能制御ステップでは、前記利用車両以外の車両のドア又はトランクリッドが開状態であって、且つ、他の利用者の候補車両が選択可能状態でない場合は、前記利用車両を走行不能化することを特徴とする請求項１０に記載の共用車両管理方法。
【請求項１７】
利用者の前記識別情報を発信する携帯型送信機が利用者によって保持され、
車両のドア及びトランクリッドの開閉状態を検出する開閉状態検出ステップと、
前記候補車両から利用車両が特定される前において、前記候補車両のドア又はトランクリッドが開状態であり、且つ、前記携帯型送信機がドア又はトランクリッドが開状態である前記候補車両の車室内及び近傍に位置しない場合に、報知信号を出力する報知ステップと、
を更に備えたことを特徴とする請求項１０に記載の共用車両管理方法。
【請求項１８】
前記報知ステップでは、前記施錠制御ステップで前記候補車両のドア施錠装置を開錠した後、前記利用車両が特定されることなく所定時間が経過した場合であって、前記候補車両から利用車両が特定される前において、前記候補車両のドア又はトランクリッドが開状態であり、且つ、前記携帯型送信機がドア又はトランクリッドが開状態である前記候補車両の車室内及び近傍に位置しない場合に、前記報知信号を出力することを特徴とする請求項１７に記載の共用車両管理方法。
【発明の詳細な説明】
【技術分野】
【０００１】
本発明は共用車両管理システム及び共用車両管理方法に関し、特に複数の車両から利用者が利用車両を選択可能な共用車両管理システム及び共用車両管理方法に関する。
【背景技術】
【０００２】
従来、利用者がＩＤカードを利用して、所望の車両を利用する共用車両管理システムが提案されている（例えば、特許文献１参照）。
特許文献１に記載のシステムでは、ＩＤカードに記録された個人情報に基づいて利用可能な車両が設定され、利用可能な車両から利用者が所望の車両の種類を選択することで、選択条件に合致した１台の車両が自動的に選定されるようになっている。
【先行技術文献】
【特許文献】
【０００３】
【特許文献１】特許第４１１７９３７号公報
【発明の概要】
【発明が解決しようとする課題】
【０００４】
しかしながら、特許文献１のシステムでは、利用者の選択条件に合致する車両が複数台ある場合でも、システム側で１台の車両を選定して利用者に利用可能とするようになっている。このため、利用者は、選択条件に合致した複数の候補車両から、好みや利便性等の利用者のニーズに最もあった好ましい１台を実際に見て選択することができなかった。
【０００５】
また、特許文献１のシステムにおいて、複数の候補車両の中から利用者が実際に見て１台を選択可能とした場合、選択されなかった車両に対するセキュリティをどのように確保するかということが新たな問題となる。
【０００６】
本発明は、このような課題を解決するためになされたものであり、利用者の選択条件に合致する複数の車両の中から、利用者のニーズに最もあった１台を利用者が実際に見た後に選択可能であると共に、選択されなかった車両に対するセキュリティを確保することが可能な共用車両管理システム及び共用車両管理方法を提供することを目的としている。
【課題を解決するための手段】
【０００７】
上述した課題を解決するために、本発明は、駐車場に配車されている複数の車両を識別情報で特定される複数の利用者により共用する共用車両管理システムであって、利用者の識別情報を取得する利用者認識手段と、識別情報に関連付けられた車両選択条件に合致する複数台の候補車両に対してドア開錠信号を送信することにより、駐車場の候補車両のドア施錠装置を開錠して候補車両を選択可能状態とする施錠制御手段と、候補車両から利用車両が特定されたことに基づいて、利用車両以外の候補車両を走行不能化する走行不能制御手段と、を備えたことを特徴としている。
【０００８】
このように構成された本発明においては、車両選択条件に合致する車両が複数台ある場合に、これら複数台の候補車両のドアが開錠され、利用者は、これらを実際に見て確認した上で最も好ましい車両を選択することができる。これにより、利用者の選択利便性を向上させ、利用者はニーズにより適合した車両を選択することができる。また、利用者の選択により、選択されなかった他の車両が走行不能化されるので、これらの車両に対するセキュリティを確保することができる。
【０００９】
また、本発明において好ましくは、走行不能制御手段は、施錠制御手段を介して、利用車両以外の候補車両にドア施錠信号を送信することにより、利用車両以外の候補車両のドア施錠装置を施錠する。このように構成された本発明においては、車両のドア施錠装置を施錠することにより、非選択車両を走行不能化することができる。
【００１０】
また、本発明において好ましくは、走行不能制御手段は、施錠制御手段が候補車両のドア施錠装置を開錠した後、利用車両が特定されることなく所定時間が経過した場合に、候補車両を走行不能化する。このように構成された本発明においては、ドアが開錠された後、利用車両が特定されることなく所定時間が経過した場合に、自動的に再びドアが施錠されるので、セキュリティを確保することができる。
【００１１】
また、本発明において好ましくは、車両のドア及びトランクリッドの開閉状態を検出する開閉状態検出手段を更に備え、走行不能制御手段は、所定時間経過時に、開閉状態検出手段が候補車両のドア又はトランクリッドの開状態を検出している場合は、候補車両に対する走行不能化を不作動にする。このように構成された本発明においては、ドアが開錠された後、利用車両が特定されることなく所定時間が経過しても、ドアが開状態である場合は、利用者が選択中であったり、荷物を積み込んでいたりする可能性があるので、このような場合には、走行不能化しないことで利便性を高めることができる。
【００１２】
また、本発明において好ましくは、走行不能制御手段は、所定時間経過後に、開閉状態検出手段が候補車両のドア及びトランクリッドの閉状態を検出し、且つ、利用車両が特定された場合に、利用車両以外の候補車両を走行不能化する。このように構成された本発明においては、ドアが開錠された後、利用車両が特定されることなく所定時間が経過した後、ドアが閉状態となり、利用車両が特定された場合に、非選択車両が走行不能化される。これにより、利用者の利便性を高めると共に、セキュリティを確保することができる。
【００１３】
また、本発明において好ましくは、利用者の前記識別情報を発信する利用者携帯用の携帯型送信機を更に備え、車両は、携帯型送信機が当該車両内及び車両近傍に位置する場合に携帯型送信機から識別情報を取得し、識別情報を受信していることを表す近接信号を出力する識別情報取得手段を備え、走行不能制御手段は、所定時間経過時に、候補車両のうち近接信号を出力している車両以外の候補車両を走行不能化する。
【００１４】
このように構成された本発明においては、ドアが開錠された後、利用車両が特定されることなく所定時間が経過した際に、携帯型送信機を携帯した利用者が選択しようとする車両の近傍又は車内にいる場合は、その車両以外が走行不能化される。これにより、車両に対してセキュリティを確保することができると共に、選択の利便性を高めることができる。
【００１５】
また、本発明において好ましくは、車両のドア及びトランクリッドの開閉状態を検出する開閉状態検出手段を更に備え、走行不能制御手段は、開閉状態検出手段が利用車両以外の車両のドア又はトランクリッドの開状態を検出している場合であって、且つ、他の利用者の候補車両が選択可能状態でない場合は、利用車両を走行不能化する。
【００１６】
このように構成された本発明においては、利用車両を選択中に利用者が他の車両のドア等を閉め忘れた場合に利用車両が走行不能化されるので、利用者は、他の車両のドア等を開けた状態では利用車両を走行させることはできない。これにより、利用車両以外の他の車両のセキュリティを確保することができる。また、利用車両以外の車両のドア等が開状態であっても、他の利用者が候補車両を選択又は確認中である場合は、他の利用者によって、ドア開状態の車両のセキュリティを確保することができる。
【００１７】
また、本発明において好ましくは、利用者の前記識別情報を発信する利用者携帯用の携帯型送信機と、車両のドア及びトランクリッドの開閉状態を検出する開閉状態検出手段と、候補車両から利用車両が特定される前において、開閉状態検出手段が候補車両のドア又はトランクリッドの開状態を検出しており、且つ、携帯型送信機がドア又はトランクリッドが開状態であると検出されている候補車両の車室内及び近傍に位置しない場合に、報知信号を出力する報知手段と、を更に備える。
【００１８】
このように構成された本発明においては、利用者がある候補車両を選定した後、この候補車両のドア等を開け放した状態で次の候補車両を選定しに行く場合、報知手段により、報知信号が出力される。これにより、利用者は、現在選定中でない候補車両のドア等を開け放した状態にしていることを認識することができるので、利用者にこの候補車両のドア等を閉めることを促すことが可能である。
【００１９】
また、本発明において好ましくは、報知手段は、施錠制御手段が候補車両のドア施錠装置を開錠した後、利用車両が特定されることなく所定時間が経過した場合であって、候補車両から利用車両が特定される前において、開閉状態検出手段が候補車両のドア又はトランクリッドの開状態を検出しており、且つ、携帯型送信機がドア又はトランクリッドが開状態であると検出されている候補車両の車室内及び近傍に位置しない場合に、報知信号を出力する。
【００２０】
このように構成された本発明においては、所定時間が経過後に、候補車両のドア等が開状態で、且つ利用者がドア開状態の候補車両近傍にいない場合に、報知手段が報知を行う。これにより、利用者は、所定時間経過後に候補車両のドア等を開けた状態に放置していたことを認識することができる。
【００２１】
また、上述した課題を解決するために、本発明は、駐車場に配車されている複数の車両を識別情報で特定される複数の利用者により共用する共用車両管理方法であって、利用者の識別情報を取得する利用者認識ステップと、識別情報に関連付けられた車両選択条件に合致する複数台の候補車両に対してドア開錠信号を送信することにより、駐車場の候補車両のドア施錠装置を開錠して候補車両を選択可能状態とする施錠制御ステップと、候補車両から利用車両が特定されたことに基づいて、利用車両以外の候補車両を走行不能化する走行不能制御ステップと、を備える。
【００２２】
また、本発明において好ましくは、走行不能制御ステップでは、利用車両以外の候補車両にドア施錠信号を送信することにより、利用車両以外の候補車両のドア施錠装置を施錠する。
【００２３】
また、本発明において好ましくは、走行不能制御ステップでは、施錠制御ステップにおいて候補車両のドア施錠装置を開錠した後、利用車両が特定されることなく所定時間が経過した場合に、候補車両を走行不能化する。
【００２４】
また、本発明において好ましくは、車両のドア及びトランクリッドの開閉状態を検出する開閉状態検出ステップを更に備え、走行不能制御ステップでは、所定時間経過時に、候補車両のドア又はトランクリッドが開状態である場合は、候補車両に対する走行不能化を不作動にする。
【００２５】
また、本発明において好ましくは、走行不能制御ステップでは、所定時間経過後に、候補車両のドア及びトランクリッドが閉状態であり、且つ、利用車両が特定された場合に、利用車両以外の候補車両を走行不能化する。
【００２６】
また、本発明において好ましくは、利用者の前記識別情報を発信する携帯型送信機が利用者によって保持され、車両は、携帯型送信機が当該車両内及び車両近傍に位置する場合に携帯型送信機から識別情報を取得し、識別情報を受信していることを表す近接信号を出力する識別情報取得手段を備え、走行不能制御ステップでは、所定時間経過時に、候補車両のうち近接信号を出力している車両以外の候補車両を走行不能化する。
【００２７】
また、本発明において好ましくは、車両のドア及びトランクリッドの開閉状態を検出する開閉状態検出ステップを更に備え、走行不能制御ステップでは、利用車両以外の車両のドア又はトランクリッドが開状態であって、且つ、他の利用者の候補車両が選択可能状態でない場合は、利用車両を走行不能化する。
【００２８】
また、本発明において好ましくは、利用者の識別情報を発信する携帯型送信機が利用者によって保持され、車両のドア及びトランクリッドの開閉状態を検出する開閉状態検出ステップと、候補車両から利用車両が特定される前において、候補車両のドア又はトランクリッドが開状態であり、且つ、携帯型送信機がドア又はトランクリッドが開状態である候補車両の車室内及び近傍に位置しない場合に、報知信号を出力する報知ステップと、を更に備える。
【００２９】
また、本発明において好ましくは、報知ステップでは、施錠制御ステップで候補車両のドア施錠装置を開錠した後、利用車両が特定されることなく所定時間が経過した場合であって、候補車両から利用車両が特定される前において、候補車両のドア又はトランクリッドが開状態であり、且つ、携帯型送信機がドア又はトランクリッドが開状態である候補車両の車室内及び近傍に位置しない場合に、報知信号を出力する。
【発明の効果】
【００３０】
本発明の共用車両管理システム及び共用車両管理方法によれば、利用者の選択条件に合致する複数の車両の中から、利用者のニーズに最もあった１台を利用者が実際に見た後に選択可能であると共に、選択されなかった車両に対するセキュリティを確保することができる。
【図面の簡単な説明】
【００３１】
【図１】本発明の第１実施形態における共用車両管理システムの全体図である。
【図２】本発明の第１実施形態における駐車場の説明図である。
【図３】本発明の第１実施形態における予約処理フローである。
【図４】本発明の第１実施形態における貸出処理フローである。
【図５】本発明の第１実施形態における報知処理フローである。
【図６】本発明の第１実施形態における出庫処理フローである。
【図７】本発明の第１実施形態における返却処理フローである。
【図８】本発明の第２実施形態における貸出処理フローである。
【図９】本発明の第３実施形態における貸出処理フローである。
【発明を実施するための形態】
【００３２】
次に、添付図面を参照して、本発明の実施形態を説明する。
（第１実施形態）
図１乃至図７を参照して、本発明の実施形態による共用車両管理システムを説明する。
図１に示すように、本実施形態の共用車両管理システム１は、カーシェアリングセンターに配置された中央管理装置１０と、複数の車両３がそれぞれ駐車された複数の駐車場１００（図２参照）にそれぞれ隣接して配置されたコントローラ（車両提供装置）２０とを備えている。
【００３３】
本実施形態では、利用者は、予め中央管理装置１０と通信を行って車両利用の予約をした後、指定日時に指定の駐車場１００に行く。そして、本実施形態では、コントローラ２０が中央管理装置１０から車両予約情報を取得し、この車両予約情報に基づいて特定される車両を利用者に提供するように構成されている。
【００３４】
本実施形態では、中央管理装置１０は、インターネット等の通信回線５に接続され、車両管理・予約システムとして機能するサーバ装置である。
中央管理装置１０は、車両情報管理処理及び予約処理を行うＣＰＵを有する制御部と、車両情報管理アプリケーション，予約処理アプリケーション，車両情報データベース，顧客データベース等を記憶する記憶部と、通信インターフェース等を備えている。
【００３５】
中央管理装置１０は、車両情報管理処理において、コントローラ２０を介した通信、または、各車両３との直接的な通信により、すべての車両３を監視し、各車両３の固有の車両識別情報（車両を特定するための車両固有の情報），車両位置情報，残燃料（又は電気自動車の場合は、バッテリ残量），走行距離，ドア開閉状態等の車両情報を取得して、この車両情報を含む車両情報データベースを逐次更新する。
【００３６】
また、中央管理装置１０は、通信回線５を介してアクセスする利用者のパソコンや携帯電話等の通信手段４との間で、車両３の予約処理を行う。顧客データベースは、登録された利用者を特定又は認証するためのものであり、各利用者を特定するための固有の利用者識別情報を含む各種の個人情報が記憶されている。なお、利用者には、会員登録により、個人情報が記憶されたＩＤカード６が発行されている。ＩＤカード６は、利用者識別情報等を送信する携帯型送信機を構成している。なお、携帯型送信機は、利用者識別情報等を送信可能な車両のエンジン作動用のキーであってもよい。
【００３７】
中央管理装置１０は、アクセスした利用者を顧客データベースに基づいて認証し、認証された利用者が入力した希望車種や利用日時等の車両選択条件である利用予約条件を受付ける。中央管理装置１０は、この利用予約条件を受け取って、車両予約情報データベース及び車両情報データベース等に基づいて、利用予約条件に合致する車両３を利用者のために予約し、車両情報データベース及び顧客データベースに関連付けて予約車両の予約情報を記憶する車両予約情報データベースを更新する。
【００３８】
コントローラ２０は、各駐車場１００にそれぞれ配置されており、各駐車場１００において、利用者に対して予約車両３の貸し出し処理、及び返却処理を行う。
図１に示すように、コントローラ２０は、上記処理を行う管理制御ユニット２１と、通信回線５を介して中央管理装置１０と通信を行う通信インターフェース２２と、車両３と通信を行う通信ユニット２３と、利用者の有するＩＤカード６を読取るＩＤカードリーダ２４と、駐車場１００の車両ゲート１０１を開閉するためのゲート開閉ユニット２５と、車両ゲート１０１の近傍に配置され、車両ゲート１０１への車両３の接近及び／又は通過を検出するゲートセンサ２６とを備えている。
【００３９】
図２に示すように、駐車場１００の駐車スペースには複数の車両３が駐車可能であり（図２では４台の車両３ａ−３ｄ）、車両３は車両ゲート１０１を通して出入りが可能となっている。コントローラ２０は、車両ゲート１０１の近傍に配置されている。利用者は、ＩＤカード６を、ＩＤカードリーダ２４に近接又は挿入することにより、ＩＤカード６内に記憶された利用者識別情報を読み込ませることができる。なお、本実施形態では、ＩＤカード６をＩＤカードリーダ２４に読み込ませる構成であるが、これに限らず、ＩＤカードリーダ２４の代わりに入力装置を設けて、利用者が、入力装置に利用者識別情報や予約番号等の利用者を特定可能な識別情報を入力するように構成してもよい。
【００４０】
管理制御ユニット２１は、通信ユニット２３を介して車両３と通信を行い、車両３から車両情報，後述する車両選択信号，利用終了信号，ドア及びトランクリッドの開閉状態及びロック状態を表す信号等を、定期的にまたは問合せにより取得する。
【００４１】
車両３は、各種の動作制御を行う制御ユニット（ＥＣＵ）３１と、通信回線５を介して中央管理装置１０と通信を行う通信インターフェース３２と、コントローラ２０（通信ユニット２３）と通信を行う通信ユニット３３と、利用者が所定の情報を入力可能であると共に、各種情報を表示可能である入力表示装置３４と、ドアロック制御装置（ＢＣＭ）３５と、エンジン制御部３６と、車車間通信ユニット３８と、速度計，距離計，燃料計（バッテリ残量計）等の各種メータ３９と、ナビゲーション装置４０と、ＧＰＳ４１と、報知装置４２を備えている。
【００４２】
入力表示装置３４は、例えばタッチパネルディスプレーであり、利用者が入力した情報（例えば、後述する車両選択信号）をコントローラ２０や中央管理装置１０へ送信可能となっている。また、入力表示装置３４がナビゲーション装置４０のディスプレイを兼ねてもよい。ナビゲーション装置４０は、ＧＰＳアンテナ，ＧＰＳ受信機等を有するＧＰＳ４１からのデータと、ジャイロセンサからのデータ等から車両現在位置（車両位置情報）を算出する。
【００４３】
車両制御ユニット３１は、通信インターフェース３２を用いて、通信回線５を介して、中央管理装置１０からの問い合わせに応じて、または定期的に上述の車両情報を送信するように構成されている。このため、車両制御ユニット３１は、メータ３９，ナビゲーション装置４０から各種情報を取得し、車両識別情報と併せて車両情報を作成する。
【００４４】
ドアロック制御装置３５は、車両３のフロントドア，リアドア，トランクリッド，バックドアにそれぞれ配置され、これらをロック（施錠）及びアンロック（開錠）するためのアクチュエータ等からなるロック機構（ドア施錠装置）３５ａと、ロック機構３５ａにより各ドア等がロックされているか否かを検出するロックセンサ３５ｂと、各ドア等の開閉状態を検出する開閉状態検出センサ３５ｃとを備えている。
なお、本明細書では、「ドア」とは車両に配置されたロック可能なフロントドア，リアドア，トランクリッド，バックドアを意味している。以下では、これらをまとめて「ドア等」ともいう。
【００４５】
ドアロック制御装置３５は、開閉状態検出センサ３５ｃからのドア開閉状態信号を車両制御ユニット３１に出力する。また、ドアロック制御装置３５は、車両制御ユニット３１からの制御信号に基づいて、ロック機構３５ａを作動させて各ドア等をロック状態又はアンロック状態にすると共に、ロックセンサ３５ｂの検出結果を車両制御ユニット３１に出力する。
【００４６】
本実施形態では、車両制御ユニット３１，通信ユニット３３，ドアロック制御装置３５，エンジン制御部３６が、キーレスエントリーシステム及びエンジンスタートシステムを構成し、ＩＤカード６が、これらシステムの携帯機を兼ねている。したがって、利用者は、ＩＤカード６により、ドアロック解除およびエンジンスタートを行うことが可能となっている。
なお、本実施形態では、車両システムには、通信ユニット３３，通信インターフェース３２，車車間通信ユニット３８が設けられているが、これに限らず、これらを１つ又は２つのユニットとして構成してもよい。
【００４７】
報知装置４２は、車両３の車室内又は車室外に取り付けられており、文字や画像によるディスプレー表示、及び／又は、音声表示により、運転者又は利用者等に対して視覚的及び／又は聴覚的な報知信号を出力するように構成されている。本実施形態では、報知装置４２が独立した装置として構成されているが、これに限らず、入力表示装置３４やナビゲーション装置と組み合された構成であってもよい。
【００４８】
次に、図３−図７の処理フローに基づいて、本発明の第１実施形態による共用車両管理システム１の作用を説明する。
まず、図３に基づいて、本実施形態の予約処理について説明する。
利用者は、通信手段４を用いて、通信回線５を介して、中央管理装置１０の予約受付けのための認証画面にアクセスし、固有の利用者識別情報（例えば、ＩＤ番号）やパスワード等の認証情報を入力し、認証情報を中央管理装置１０へ送信する。これにより、中央管理装置１０は認証情報を受信する（ステップＳ１）。
【００４９】
中央管理装置１０は、顧客データベースに基づいて、認証情報を送信した利用者が登録された会員であるか否かを判定する（ステップＳ２）。登録会員であると判断した場合は、中央管理装置１０は予約受付け情報を送信して予約受付け可能であることを通知する。また、登録会員でないと判断した場合は、中央管理装置１０は予約受付け不可能であることを通知する。
【００５０】
予約受付け可能である場合、利用者は、予約受付け画面で、利用予約条件（車両選択条件）を入力し、中央管理装置１０へ送信する。これにより、中央管理装置１０は、利用予約条件を受信する（ステップＳ３）。利用予約条件には、貸出日時，貸出場所（駐車場），目的地，返却場所（駐車場），走行経路，希望車種，搭乗人数，積載物の有無等が含まれ、利用者は、少なくとも貸出日時，貸出場所を必須予約条件として入力する。
本実施形態では、利用者は、複数の駐車場１００を利用可能であり、「貸出場所」は、利用者のアクセスに便利な駐車場１００を特定するための情報である。また、「返却場所」は、利用者が利用車両３を返却する駐車場１００を特定するための情報である。
【００５１】
「希望車種」は、利用者が利用を希望する車両を特定するための情報であり、例えば、特定の自動車メーカの特定の車種（例えば、「Ａ」社の「ＡＡＡ」）や、排気量の大きさや、車両タイプ（例えば、セダン，ワゴン車等）等である。
中央管理装置１０は、上記利用予約条件に合致する車両３を車両情報データベースを用いて検索し、検索結果案内画面を送信して利用者に検索結果を通知する（ステップＳ４）。
【００５２】
利用者は、検索結果案内画面で、少なくとも貸出日時，貸出場所を含む検索結果を確認し、予約を確定するための予約確定入力を中央管理装置１０へ送信する。これにより、中央管理装置１０は、予約確定入力を受信し、上記検索結果に基づいて予約が確定される（ステップＳ５）。予約確定により、中央管理装置１０は、利用者識別情報に関連付けて、貸出日時，貸出場所（駐車場），車種等の情報を含む車両予約情報を記憶する。そして、この車両予約情報に合致する検索された車両が予約車両（候補車両）として確保される。
【００５３】
なお、利用予約条件のうち「目的地」，「走行経路」，「希望車種」，「積載物の有無」等は必須事項ではない。このため、利用者が「希望車種」を特定しなかった場合には、「利用日時」や「貸出場所」等のみで特定される車両３が多数特定され、この複数の車両３が予約される。また、「希望車種」を「Ａ」社の「ＡＡＡ」という車名で特定した場合でも、「利用日時」や「貸出エリア」等の他の条件を満たす車両３が複数存在することがあり得る。したがって、車両予約情報に合致する車両３が少なくとも１台は確保されるように、中央管理装置１０は予約を行う。
【００５４】
なお、駐車場１００のコントローラ２０の入力装置等から、予約車両に加えて利用者が候補車両を更に追加できるように構成してもよい。この場合、利用者は入力装置等に利用者識別情報と車両選択条件を入力することで、コントローラ２０が中央管理装置１０に候補車両として追加可能か否かを問合せ、中央管理装置１０が予約処理と同様な処理を行う。その結果、利用者が所望する車両が、利用者識別情報に関連付けられた車両選択条件に合致する車両として、追加的に候補車両に設定される。これにより、予約車両以外の追加候補車両が候補車両に含まれ、利用者はよりニーズに適合した車両を選択可能となる。
【００５５】
次に、図４に基づいて、本実施形態の貸出処理について説明する。
予約後、利用者が指定の駐車場１００に赴き、ＩＤカード６をコントローラ２０のＩＤカードリーダ２４に近接又は挿入すると、ＩＤカードリーダ２４がＩＤカード６内に記憶された利用者識別情報を読み込み、利用者認識手段としての管理制御ユニット２１はＩＤカードリーダ２４から利用者識別情報を受け取る（ステップＳ１１）。
【００５６】
車両予約情報取得手段としての管理制御ユニット２１は、通信インターフェース２２を介して、受け取った利用者識別情報に関連付けられた車両予約情報を中央管理装置１０に送信するように問い合わせを行い、その結果、受け取った車両予約情報に合致する車両３のドアロックを解除させるために、施錠制御手段としての管理制御ユニット２１は、通信ユニット２３を介して、ドアロック解除指令信号（ドア開錠信号）を送信する（ステップＳ１２）。中央管理装置１０は、管理制御ユニット２１からの上記問合せに対して、利用者識別情報に関連付けられた車両予約情報を検索し、該当する車両予約情報をコントローラ２０へ送信する。なお、本実施形態では、候補車両に関する情報として車両予約情報がコントローラ２０へ送信されるように構成されているが、これに限らず、予約車両を一意的に特定可能な車両識別情報（識別番号）等が送信されるように構成してもよい。
【００５７】
図２は、駐車されている車両３ａ−３ｄのうち、車両３ａ−３ｃの３台が車両予約情報に合致する車両である場合を示している。したがって、車両３ａ−３ｃに対して、ドアロック解除指令信号が送信される。例えば、利用者が「希望車種」を「Ａ」社の「ＡＡＡ」という車名で予約条件を設定していた場合、この駐車場１００に配車されている色違い（例えば赤色，白色，青色）の「ＡＡＡ」車両または内装が異なる「ＡＡＡ」車両に対して、ドアロック解除指令信号が送信される。
【００５８】
また、予約条件として「目的地」を設定していた場合、貸出場所から目的地あるいはさらに返却場所までの距離に対して、残燃料／バッテリ残量に基づいて算出される走行可能距離が短い車両３は車両予約情報に合致しない車両と判断される。さらに、予約条件として「搭乗人数」を設定していた場合、搭乗人数に対し座席数が少ない車両３は車両予約情報に合致しない車両と判断される。
【００５９】
車両予約情報に合致する車両３ａ−３ｃでは、車両制御ユニット３１が、通信ユニット３３を介して、ドアロック解除指令信号を受け取る。そして、車両制御ユニット３１は、ドアロック解除指令信号に応じて、ドアロック制御装置３５にドアロックを解除させるためのドアロック解除制御信号を出力する。これにより、該当する車両３ａ−３ｃでは、ロック機構３５ａが作動して、フロントドア，リアドア，トランクリッド，バックドアのすべて又は一部がロック解除される。また、ロック解除により、ロックセンサ３５ｂがロック解除を検出する。車両制御ユニット３１は、各ドア等がロック解除された状態であることを表すドアロック解除信号を、通信ユニット３３を介してコントローラ２０に送信する。
【００６０】
管理制御ユニット２１は、該当する車両３ａ−３ｃからドアロック解除信号を受け取ると、内部のタイマー（例えば１０分）を作動させる（ステップＳ１３）。このタイマーは、利用者が、複数の利用可能な候補車両３ａ−３ｃの中から、使用する１台を選択するための選択時間を制限するためのものである。この間に、利用者は、実際に３台の車両３ａ−３ｃを見比べ、外観や内装等を確認したうえで、使用したい１台を選択することができる。
【００６１】
次いで、管理制御ユニット２１は、タイマー時間が経過したか否かを判定する（ステップＳ１４）。
ドアロック解除後、タイマーがタイムアップするまでのタイマー時間が経過していない場合（ステップＳ１４；Ｎｏ）、利用車両設定手段としての管理制御ユニット２１は、車両選択信号を受け取ったか否かを判定する（ステップＳ１５）。管理制御ユニット２１は、車両選択信号を送信した車両３を選択された車両と特定する。利用者は、車両３内の入力表示装置３４を操作して、車両選択信号を入力（例えば、決定ボタンを押下）することで、使用する車両を選択することができる。この場合、車両制御ユニット３１は、車両選択信号と選択された車両の車両識別情報ＶＩＮを通信ユニット３３を介して、コントローラ２０（管理制御ユニット２１）へ送信する。
【００６２】
なお、本実施形態では、利用者は、車両３内の入力表示装置３４により、車両選択信号をコントローラ２０に出力するように構成されているが、これに限らず、コントローラ２０に入力装置を設けて、利用者がこの入力装置で車両選択信号を入力するように構成してもよい。
【００６３】
ドアロック解除後、タイマー時間経過前に、車両選択信号を受け取らなかった場合（ステップＳ１５；Ｎｏ）、管理制御ユニット２１は、タイマー時間が経過するまで、ステップＳ１４，Ｓ１５の処理を繰り返す。
一方、ドアロック解除後、車両選択信号を受け取ることなく、タイマー時間が経過した場合（ステップＳ１４；Ｙｅｓ）、管理制御ユニット２１は、すべての候補車両３ａ−３ｃをドアロックさせるために、通信ユニット２３を介して、ドアロック作動指令信号（ドア施錠信号）を送信する（ステップＳ１８）。
【００６４】
このドアロック作動指令信号に応じて、車両３ａ−３ｃでは、車両制御ユニット３１が、ドアロック制御装置３５にドアロックを作動させるためのドアロック制御信号を出力する。これにより、車両３ａ−３ｃでは、ロック機構３５ａにより、フロントドア，リアドア，トランクリッド，バックドアがロックされ、ロックセンサ３５ｂがロック状態を検出する。車両制御ユニット３１は、各ドア等がロックされた状態であることを表すドアロック信号を、通信ユニット３３を介してコントローラ２０に送信する。
【００６５】
このように候補車両３ａ−３ｃがドアロックされることにより、候補車両３ａ−３ｃは走行不能化され、候補車両３ａ−３ｃが第３者によって不正に使用されることを防止し、セキュリティを確保することができる。また、この場合、利用者は、再び、ＩＤカード６をＩＤカードリーダ２４に接近または挿入することで、貸出処理を再開することができる。
【００６６】
一方、ドアロック解除後、タイマー時間経過前に、車両選択信号を受け取った場合（ステップＳ１５；Ｙｅｓ）、走行不能制御手段としての管理制御ユニット２１は、車両選択信号が入力された車両以外の非選択車両に対して、ドアロック作動指令信号を送信し、すべてのドア及びトランクリッドをロック状態とすると共に、中央管理装置１０に車両選択信号と選択された車両の車両識別情報を送信する（ステップＳ１６）。これにより、中央管理装置１０は、選択されなかった車両の車両情報データベースを更新して、予約状態を解除する。例えば、利用者が車両３ａで車両選択信号を入力した場合は、車両３ｂ，３ｃのドア等がロックされる。これにより、選択されなかった車両３ｂ，３ｃが走行不能化され、第３者によって不正に使用されることを防止することができる。
【００６７】
なお、本実施形態では、車両選択信号を受け取った管理制御ユニット２１が、非選択車両に対してドアロック作動指令信号を送信して、ドア等をロックさせるように構成されているが、これに限らず、車車間通信ユニット３８を介して車車間通信により、選択された車両３ａから非選択車両３ｂ，３ｃに車両選択信号あるいはドアロック作動指令信号を送信して、この信号を受け取った非選択車両３ｂ，３ｃがドア等をロックするように構成してもよい。
【００６８】
また、中央管理装置１０が、コントローラ２０から車両選択信号と選択された車両３ａの車両識別情報を受け取ったとき、または、その後、エンジン始動や入力表示装置３４，ナビゲーション装置４０等への入力があったことを表す信号をコントローラ２０経由で受け取ったときに、車両予約情報に含まれる目的地，返却エリア，走行経路に関する情報を中央管理装置１０がコントローラ２０を介して、車両制御ユニット３１に送信するように構成してもよい。車両制御ユニット３１は、中央管理装置１０からこれらの情報を受け取ると、ナビゲーション装置４０にこれらの情報を提供する。これにより、利用者は、ナビゲーション装置４０にこれらの情報を入力する手間を省くことができる。
【００６９】
利用者が、選択した車両３ａを運転して車両ゲート１０１付近に近づくと、ゲートセンサ２６が車両３ａの接近を検知する。管理制御ユニット２１は、ゲートセンサ２６が車両３ａの接近を検知すると、通信ユニット２３を介して、車両３ａに対して車両識別情報の送信を要求する。この要求に応じて車両３ａが車両識別情報を送信し、管理制御ユニット２１がこの車両識別情報を受け取る。管理制御ユニット２１は、この車両識別情報と、ステップＳ１６の処理で受け取った車両識別情報と比較して、これらが一致する場合に、車両ゲート１０１を開くために、ゲート開閉ユニット２５に開制御信号を出力する。
【００７０】
これにより、車両ゲート１０１が開き、利用者は、車両３ａで駐車場１００外へ出て行くことができる。車両３ａが車両ゲート１０１を通過したことをゲートセンサ２６で検知すると、ゲート開閉ユニット２５に閉制御信号を出力して、車両ゲート１０１を閉じると共に、車両３ａの利用が開始したことを表す利用開始信号及び車両識別情報を中央管理装置１０に対して送信する（ステップＳ１７）。これにより、中央管理装置１０は、車両３ａの使用開始時間を車両情報データベースに記録する。
【００７１】
なお、車両３ａの接近により車両ゲート１０１を開ける処理では、車両３から定期的に発信される車両識別情報をゲートセンサ２６経由で管理制御ユニット２１が受け取り、この車両識別情報と、ステップＳ１６の処理で受け取っていた車両識別情報と比較して、これらが一致する場合に、車両ゲート１０１を開くように構成してもよい。
【００７２】
次に、図５に基づいて、本実施形態の報知処理について説明する。
この報知処理は、貸出処理の一部又はこの処理を並行して行われる処理であり、利用者が駐車場１００で選択可能状態にある候補車両を確認して利用車両を選択することが可能な選択可能期間、及びそれ以降の利用車両の利用開始時まで繰り返し行われるように構成されている。したがって、管理制御ユニット２１がドアロック解除指令信号（ドア開錠信号）を送信してから、利用車両以外の非選択車両に対してドアロック作動指令信号を送信するまでの期間中、及び、利用開始信号が送信されるまで、管理制御ユニット２１は、各候補車両に対してこの処理を順次に且つ繰り返し実行する。
また、この報知処理をタイマー時間経過後（ステップＳ１４；Ｙｅｓ）のみに行うように構成してもよい。
【００７３】
本実施形態では、ＩＤカード６が各車両３の車室内又は車両近傍に位置する場合には、その車両３の車両制御ユニット３１は通信ユニット３３を介してＩＤカード６から利用者識別情報を読取るように構成されている。そして、管理制御ユニット２１は、通信ユニット２３を介して、各候補車両３ａ−３ｃの車両制御ユニット３１がＩＤカード６から利用者識別情報を読取っているか否かを問い合わせる（ステップＳ２５）。
【００７４】
この問合せに対して、車両制御ユニット３１は、ＩＤカード６が近傍に位置すること、すなわちＩＤカード６を携帯した利用者が近傍に位置することを表す近接信号を、利用者識別情報と共に管理制御ユニット２１に返信する。
管理制御ユニット２１は、近接信号を受信した場合、これと共に受信した利用者識別情報が、車両予約情報に含まれる利用者識別情報又は追加候補車両を特定する車両選択条件に関連付けられた利用者識別情報と一致するか否かを判定し、これらが一致する場合には、利用者識別情報を送信した車両３内又はその近傍にＩＤカード６が存在すると判定する。
【００７５】
ＩＤカード６が近傍に位置すると判定した場合（ステップＳ２５；Ｙｅｓ）、当該候補車両を利用者が確認中であるので、管理制御ユニット２１は処理を終了する。
一方、ＩＤカード６が近傍に位置しないと判定した場合（ステップＳ２５；Ｎｏ）、当該候補車両を利用者が確認中ではないので、管理制御ユニット２１は、再び車両制御ユニット３１にドア等の開閉状態を問い合わせる（ステップＳ２６）。
【００７６】
ドア等がすべて閉状態である場合（ステップＳ２６；Ｎｏ）、管理制御ユニット２１は、処理を終了する。
一方、ドア等のうちいずれかが開状態である場合（ステップＳ２６；Ｙｅｓ）、当該候補車両が確認中でないにも関わらずドア等が開いているので、管理制御ユニット２１は、車両制御ユニット３１に報知装置作動信号を出力し（ステップＳ２７）、処理を終了する。これにより、車両制御ユニット３１は、報知信号を出力させるように報知装置４２を作動させる。これに応じて、報知装置４２は、利用者に対して報知信号を出力することで、ドア等を閉めるように促す。
【００７７】
このように本実施形態では、利用者が候補車両の中から利用車両を選択中に、候補車両のドア等を開けた状態でこの候補車両から離れて、他の候補車両へ向かった場合に、ドア等が開けられたままであることを報知信号により利用者に報知することができる。これにより、利用者はドア等を閉め忘れたことを知ることができ、ドア等が確実に閉状態に戻されることが可能となる。よって、利用車両として選択されない候補車両のセキュリティを確保することができる。
【００７８】
なお、本実施形態では、管理制御ユニット２１が、各候補車両３の報知装置４２の作動を指令するように構成されていたが、これに限らず、各候補車両３の車両制御ユニット３１が、ＩＤカード６が近傍にあるか否かの判定、及びドア等が開状態であるか否かの判定を行って、報知装置４２を作動させるように構成してもよい。
【００７９】
次に、図６に基づいて、本実施形態の出庫処理について説明する。
この処理は、利用者により車両選択が行われた後の貸出処理中に行われる処理である。
管理制御ユニット２１は、中央管理装置１０に車両選択信号と選択された車両の車両識別情報とを送信した後（ステップＳ７０）、選択された利用車両以外で駐車場１００に駐車されている車両３（又はその利用者の候補車両）に対して、ドア等の開閉状態を問い合わせる（ステップＳ７１）。
【００８０】
他のすべての車両３のドア等が閉状態である場合（ステップＳ７１；Ｎｏ）、管理制御ユニット２１は、利用車両に対して、エンジン作動許可を与え（ステップＳ７５）、処理を終了する。これにより、利用者は、利用車両のエンジンを始動することができる。
一方、他の車両３のドア等が開状態である場合（ステップＳ７１；Ｙｅｓ）、管理制御ユニット２１は、ドア等が開状態である車両が、他の利用者により選択中又は確認中である他の利用者の候補車両であるか否かを判定する（ステップＳ７２）。すなわち、当該車両が、別の利用者の候補車両であり、現在選択可能状態であるか否かを判定する。詳しくは、管理制御ユニット２１は、当該車両が、他の利用者の利用者識別情報に関連付けられた車両選択条件によって選択され、且つ、これに伴ってドアロック解除指令信号が出力されてドアロックが解除されているものであるか否かを判定する。
【００８１】
ドア等開状態の車両が他の利用者の候補車両である場合（ステップＳ７２；Ｙｅｓ）、管理制御ユニット２１は、利用車両に対して、エンジン作動許可を与え（ステップＳ７５）、処理を終了する。この場合、ドア等が開けられているのは、利用車両を既に選定した利用者がドア等を閉め忘れたものではなく、他の利用者が現在選定中でドア等を開けているからである。したがって、ドア等が開けられている車両に対するセキュリティは他の利用者によって確保することができる。
【００８２】
一方、ドア等開状態の車両が他の利用者の候補車両でない場合（ステップＳ７２；Ｎｏ）、利用車両を既に選定した利用者が他の候補車両のドア等を閉め忘れたものと考えられる。したがって、管理制御ユニット２１は、選定された利用車両に対して走行不能化のためエンジン作動許可を与えず、又はエンジン始動を制限し（ステップＳ７３）、他の車両のドア等が開状態であることを報知するドア等開状態報知信号を利用車両の車両制御ユニット３１に送信し（ステップＳ７４）、再びステップＳ７１の処理に戻る。
【００８３】
これにより、利用者は、利用車両のエンジンを始動することができず、利用車両で駐車場１００から出庫することができない。また、ドア等開状態報知信号を受け取った車両制御ユニット３１は、報知装置４２により候補車両のドア等が開状態であることを利用者に知らせることができる。
【００８４】
このように本実施形態では、利用車両が特定された後において、他の候補車両のドア等が閉状態でない場合は、利用車両を出庫させることができないように構成されている。これにより、利用者は、他の候補車両のドア等を閉状態とすることが促されるので、他の候補車両のセキュリティを確保することができる。
【００８５】
次に、図７に基づいて、本実施形態の返却処理について説明する。
利用者が車両３ａを運転して、返却予定の駐車場１００に近づくと、ゲートセンサ２６が車両３ａの接近を検知する。管理制御ユニット２１は、ゲートセンサ２６が車両３ａの接近を検知すると、通信ユニット２３を介して、車両３ａに対して車両識別情報の送信を要求する。この要求に応じて車両３ａが車両識別情報を送信し、管理制御ユニット２１がこの車両識別情報を受け取る。管理制御ユニット２１は、この車両識別情報を受けて、この車両識別情報に関連する車両予約情報を中央管理装置１０に問合せる。
【００８６】
管理制御ユニット２１は、中央管理装置１０からこの車両識別情報に関連する車両予約情報を受け取り、当該駐車場１００が返却場所に指定されているか否かを判定し、返却場所に指定されている場合は、ゲート開閉ユニット２５に開制御信号を出力し、車両ゲート１０１を開ける。なお、返却場所に指定されていない場合であっても、車両ゲート１０１を開けるように構成してもよい。
【００８７】
なお、車両３ａの接近により車両ゲート１０１を開ける処理では、車両３から定期的に発信される車両識別情報をゲートセンサ２６経由で管理制御ユニット２１が受け取り、この車両識別情報に基づいて、管理制御ユニット２１が、車両予約情報を中央管理装置１０に問合せるように構成してもよい。また、中央管理装置１０に管理制御ユニット２１が問合せるのではなく、中央管理装置１０から返却場所のコントローラ２０に予め車両予約情報を送信するように構成してもよい。
【００８８】
車両３ａの車両制御ユニット３１は、駐車場１００内で車両３ａが停止したことを確認し（例えば、パーキングブレーキがセットされたことを表すパーキングブレーキオン信号を受け取ること）、且つ、エンジン制御部３６からエンジンオフ信号を受け取ると、管理制御ユニット２１に向けて、利用を終了したことを表す利用終了信号を送信する。
【００８９】
管理制御ユニット２１は、利用終了信号を受け取り、これを中央管理装置１０へ送信する（ステップＳ２１）。中央管理装置１０は、管理制御ユニット２１から使用終了信号を受け取ると、車両予約情報に基づいて、車両３ａの駐車位置が返却予定の駐車場１００であることを車両情報データベースの車両位置情報から確認し、使用終了時間を車両情報データベースに記録する。
【００９０】
中央管理装置１０は、車両情報データベースに基づいて、使用時間（使用開始時間から使用終了時間までの時間），燃料消費量，走行距離等を算出し、これらに基づいて使用者に請求する貸出料金を算出する。そして、中央管理装置１０は、登録されているクレジットカード会社に費用請求情報を送信し、算出した貸出料金を利用者に請求する。
【００９１】
なお、車両予約情報の返却場所と異なる返却場所に車両３が返却される場合には、入力表示装置３４が、返却場所が異なっていることを報知する表示や音声を出力するように構成してもよいし、車両ゲート１０１が開かないように構成してもよい。また、最終的に、車両予約情報の返却場所と異なる返却場所に車両３が返却された場合には、追加料金が請求されるように構成してもよい。
【００９２】
そして、管理制御ユニット２１は、車両制御ユニット３１から受信したドア開閉状態信号に基づいて、停車後に、車両ドアが開状態となった後、閉状態となったことを検出すると、所定時間経過後に、すべてのドア及びトランクリッドをロック状態にするために、ドアロック作動指令を送信する（ステップＳ２２）。これにより、車両３ａでは、車両制御ユニット３１が、ドアロック制御装置３５にドアロックを作動させるためのドアロック駆動信号を出力し、すべてのドア及びトランクリッドがロックされる。
【００９３】
このように、本実施形態では、車両予約情報に合致する車両３が複数ある場合に、これら候補車両３のドアが開錠され、利用者は、これらを実際に見て最も好ましい車両３を選択することができる。これにより、利用者の選択利便性を向上させ、よりニーズに適合した車両３を提供することができる。
【００９４】
また、所定時間内に選択が完了しない場合には、候補車両３のドアが再び施錠され、車両３のドアが長時間開錠された状態となることを防止できるので、第３者が不正に候補車両３を利用することを防止可能である。さらに、所定時間内に選択が完了した場合には、選択されなかった車両３のドアが施錠されるので、第３者による不正利用を防止することが可能である。
【００９５】
なお、本実施形態では、利用者が特定の車両３ａの利用を選択することなくドア開錠から所定時間が経過した場合や、利用者が特定の車両３ａの利用を選択した場合に、ドア及びトランクリッドをロックすることにより、車両３を走行不能化している。しかしながら、これに限らず、管理制御ユニット２１，車両制御ユニット３１，中央管理装置１０のいずれか１つ以上による制御によって、車両３を機械的にロックする外部装置を作動させることで走行不能化してもよいし、車両選択信号が発信されないとエンジン制御部３６がエンジンを作動できないように構成することで走行不能化してもよいし、さらには車両選択信号が発信された車両以外が接近しても、車両ゲート１０１が開かず出庫不可とすることで走行不能化してもよい。
【００９６】
また、本実施形態では、利用車両が決定された後に、他の候補車両がドア等開状態である場合に、エンジン不作動により出庫を制限するように構成されているが、これに限らず、上述のように、利用車両を走行不能化するために、外部ロック装置を用いてもよいし、車両ゲート１０１を閉鎖状態としてもよい。
【００９７】
また、本実施形態では、タイマー時間が固定されているが、これに限らず、荷物の積み込み等で時間が掛かる場合も考えられるので、バックドアが開状態であることを管理制御ユニット２１が検出した場合は、タイマー時間を延長するように構成してもよい。
【００９８】
（第２実施形態）
次に、図８に基づいて、第２実施形態による貸出処理について説明する。
ステップＳ３１−Ｓ３７の処理は、図４のステップＳ１１−Ｓ１７の処理と同じであるので、説明を省略する。
ステップＳ３４の処理において、ドアロック解除後、車両選択信号を受け取ることなく、タイマー時間が経過した場合（ステップＳ３４；Ｙｅｓ）、開閉状態検出手段としての管理制御ユニット２１は、車両情報から、候補車両３ａ−３ｃの開閉状態検出センサ３５ｃにより検出されているドア及びトランクリッドの開閉状態を判定する（ステップＳ３８）。
【００９９】
候補車両３ａ−３ｃのすべてのドア及びトランクリッドが閉状態である場合（ステップＳ３８；Ｎｏ）、図４のステップＳ１８と同様に、管理制御ユニット２１は、候補車両３ａ−３ｃのドア及びトランクリッドをロック状態にして処理を終了する（ステップＳ３９）。これにより、ドアロック解除後に、利用車両を選択することなくタイマー時間が経過したとき、候補車両３ａ−３ｃのすべてのドア及びトランクリッドが閉状態である場合には、すべてのドア及びトランクリッドをロック状態として走行不能化することで、車両３ａ−３ｃの第３者による不正使用を防止することができる。
【０１００】
一方、候補車両３ａ−３ｃのいずれかのドア又はトランクリッドが開状態である場合（ステップＳ３８；Ｙｅｓ）、管理制御ユニット２１は、候補車両３ａ−３ｃのドア及びトランクリッドのロック解除状態を維持する（ステップＳ４０）。この場合、利用者が少なくともいずれか１台の候補車両のドア又はトランクリッドを開けている状態であり、ドア等を開けている候補車両を利用者が選択する可能性がある。また、いずれかのドア又はトランクリッドが開状態である場合、ロック機構３５ａを作動させることによる走行不能化を達成することができない。したがって、管理制御ユニット２１は、ロック解除状態を維持する。
【０１０１】
次いで、管理制御ユニット２１は、再びドア及びトランクリッドの開閉状態を判定する（ステップＳ４１）。
候補車両３ａ−３ｃのいずれかのドア及びトランクリッドが開状態である場合（ステップＳ４１；Ｎｏ）、管理制御ユニット２１は、ステップＳ４０の処理を繰り返す。これにより、すべてのドア及びトランクリッドが閉状態となるまで、ステップＳ４０により候補車両３ａ−３ｃのドア及びトランクリッドのロック解除状態が維持される。
【０１０２】
一方、候補車両３ａ−３ｃのすべてのドア及びトランクリッドが閉状態である場合（ステップＳ４１；Ｙｅｓ）、管理制御ユニット２１は、車両選択信号を受け取ったか否かを判定する（ステップＳ４２）。
すべてのドア及びトランクリッドが閉状態であるが、車両選択信号を受け取っていない場合（ステップＳ４２；Ｎｏ）、管理制御ユニット２１は、ステップＳ４０，Ｓ４１の処理繰り返し、車両選択信号を受け取るのを待つ。
【０１０３】
一方、すべてのドア及びトランクリッドが閉状態であり、車両選択信号を受け取った場合（ステップＳ４２；Ｙｅｓ）、管理制御ユニット２１は、ステップＳ３６の処理に進んで、非選択車両３ｂ，３ｃのドア及びトランクリッドをロック状態にし、さらにステップＳ３７の処理に移行して処理を終了する。
【０１０４】
このように、本実施形態では、選択時間を制限するタイマー時間が経過した後でも、選択候補車両３ａ−３ｃのいずれかのドア又はトランクリッドが開いている間は、ロック解除状態を維持する。よって、利用者は、選択しようとする車両３ａまたは結果的に選択しない車両３ｂ，３ｃのドア等を開けている状態では、タイマー時間に制限されることなく、車両３内またはその近傍で選択すべき車両３を吟味したり、選択しようとする車両３に荷物を積み込んだりすることができ、利便性が高められる。
【０１０５】
そして、本実施形態では、選択車両３ａが選択され、すべてのドア及びトランクリッドが閉じた状態で、非選択車両３ｂ，３ｃをロック状態として、走行不能化する。これにより、利用者の選択利便性を考慮し、かつ、第３者の不正使用を防止することができる。
【０１０６】
なお、本実施形態では、タイマー時間の経過後に、いずれかの候補車両３のドアまたはトランクリッドが開状態である場合に、すべての候補車両３をロック解除状態に保持するように構成されているが、これに限らず、タイマー時間経過後に、車両毎にドア及びトランクリッドが閉状態であるか否かを判定して、ドア及びトランクリッドが閉状態である車両については、個別にロック状態とするように構成してもよい。このように構成することで、タイマー時間経過時点で、ドア等を開けている車両３については選択可能性があると判断でき、ドア等が閉じられている車両３については選択可能性がないと判断できるので、選択可能性がない車両３については個別にロック状態とすることでセキュリティを確保することができる。
【０１０７】
また、タイマー時間経過後、すべての車両３のドア等が閉じられた時点で、車両選択信号を受けていない場合に、管理制御ユニット２１がすべての車両３のドアを施錠して処理を終了するように構成してもよい。この場合、利用者は、再びＩＤカード６をＩＤカードリーダ２４に読み込ませることで、車両３の選択を再開することができる。
【０１０８】
（第３実施形態）
次に、図９に基づいて、第３実施形態による貸出処理について説明する。
ステップＳ５１−Ｓ５７の処理は、図４のステップＳ１１−Ｓ１７の処理と同じであるので、説明を省略する。
ステップＳ５４の処理において、ドアロック解除後、車両選択信号を受け取ることなく、タイマー時間が経過した場合（ステップＳ５４；Ｙｅｓ）、管理制御ユニット２１は、利用者のＩＤカード６がいずれかの候補車両３ａ−３ｃの車内又は車両近傍にあるか否かを判定する（ステップＳ５８）。
【０１０９】
この処理では、キーレスエントリーシステムを構成する車両制御ユニット３１，通信ユニット３３，及び利用者のＩＤカード６において、識別情報取得手段である車両制御ユニット３１がＩＤカード６から利用者識別情報を読取り、使用者が近傍に存在することを表す近接信号を、読取った利用者識別情報と共にコントローラ２０に送信する。コントローラ２０内の管理制御ユニット２１は、近接信号を受信した場合、これと共に受信した利用者識別情報が車両予約情報に含まれる利用者識別情報と一致するか否かを判定し、これらが一致する場合には、利用者識別情報を送信した車両３内又はその近傍にＩＤカード６が存在すると判定する。
【０１１０】
利用者のＩＤカード６がいずれかの候補車両３ａ−３ｃの車内又は車両近傍にない場合（ステップＳ５８；Ｎｏ）、利用者は、候補車両３ａ−３ｃから離れた場所にいるので、管理制御ユニット２１は、いずれかの候補車両３のドア等が開状態か否かを判定する（ステップＳ６１）。
すべての候補車両３ａ−３ｃのドア等が閉状態である場合（ステップＳ６１；Ｎｏ）、管理制御ユニット２１は、候補車両３ａ−３ｃに対してドアロック作動指令信号を送信し（ステップＳ６３）、すべてのドア等をロック状態とし、処理を終了する。
【０１１１】
一方、いずれかの候補車両３ａ−３ｃのドア等が開状態である場合（ステップＳ６１；Ｙｅｓ）、管理制御ユニット２１は、候補車両３ａ−３ｃのうちドア等が開状態である車両に対して報知装置作動信号を送信し（ステップＳ６２）、再びステップＳ６１の処理へ戻る。これにより、報知装置４２が作動し、利用者はドア等を閉め忘れたことに気付き、すべての候補車両３ａ−３ｃのドア等を閉状態に保持することができる。
【０１１２】
一方、利用者のＩＤカード６がいずれかの候補車両３ａ−３ｃの車内又は車両近傍にある場合（ステップＳ５８；Ｙｅｓ）、管理制御ユニット２１は、ＩＤカード６が車内又はその近傍にあると判定された車両以外をロック状態にする（ステップＳ５９）。すなわち、ＩＤカード６が近傍にある候補車両３は選択される可能性が高く、ＩＤカード６から離れて位置する候補車両３は選択される可能性が低いと判定され、選択可能性の低い車両３をロック状態とすることで、セキュリティを確保することができる。
【０１１３】
次いで、管理制御ユニット２１は、車両選択信号を受け取ったか否かを判定する（ステップＳ６０）。
車両選択信号を受け取っていない場合（ステップＳ６０；Ｎｏ）、管理制御ユニット２１は、車両選択信号を受け取るのを待つ。
一方、車両選択信号を受け取った場合（ステップＳ６０；Ｙｅｓ）、管理制御ユニット２１は、ステップＳ５６，Ｓ５７の処理を行い、処理を終了する。なお、複数の車両３において、ＩＤカード６が近傍にあると判定された場合は、ステップＳ５６で選択されなかった車両３がロック状態とされる。
【０１１４】
なお、タイマー時間経過後に、ステップＳ６０の処理において、さらに所定時間の間、車両選択信号を受け取らない場合には、処理を終了するように構成してもよい。また、ステップＳ６０の処理中に、ＩＤカード６が当該車両３から離れた位置に移動したことが検出された場合にも、処理を終了するように構成してよい。
【０１１５】
このように、本実施形態では、選択時間を制限するタイマー時間が経過した後でも、選択候補車両３ａ−３ｃの近傍または車内にＩＤカード６が存在する車両３については、ロック解除状態が維持される。よって、利用者は、選択しようとする車両３ａの近傍又は車内で、タイマー時間に制限されることなく、車両３ａを吟味することができる。
【０１１６】
そして、本実施形態では、タイマー時間経過時に、ＩＤカード６が近傍に存在しない車両３をロック状態として、走行不能化する。これにより、利用者の選択利便性を考慮し、かつ、第３者の不正使用を防止することができる。
【０１１７】
なお、上記実施形態では、管理制御ユニット２１が車両にドアロック作動指令信号を送信してロック状態にするように構成されているが、これに限らず、中央管理装置１０から直接、または管理制御ユニット２１を介して間接的に、車両にドアロック作動指令信号を送信して車両をロック状態とするように構成してもよい。
また、上記実施形態では、中央管理装置１０とコントローラ２０が通信回線５を介して接続された別体の制御装置として説明されているが、これに限らず、これらが一体に構成されていてもよい。さらに、コントローラ２０が単に中央管理装置１０への駐車場１００側のセンサ及び入出力装置として機能するように構成してもよい。
【符号の説明】
【０１１８】
１    共用車両管理システム
３（３ａ−３ｄ）  車両
４    通信手段
５    通信回線
６    ＩＤカード
１０    中央管理装置
２０    コントローラ
２１    管理制御ユニット
２２    通信インターフェース
２３    通信ユニット
２４    ＩＤカードリーダ
２５    ゲート開閉ユニット
２６    ゲートセンサ
３１    車両制御ユニット
３２    通信インターフェース
３３    通信ユニット
３４    入力表示装置
３５    ドアロック制御装置
３５ａ  ロック機構
３５ｂ  ロックセンサ
３５ｃ  開閉状態検出センサ
３６    エンジン制御部
３８    車車間通信ユニット
３９    メータ
４０    ナビゲーション装置
４２    報知装置
１００    駐車場
１０１    車両ゲート
【図１】
2010272103.tif 000003
【図２】
2010272103.tif 000004
【図３】
2010272103.tif 000005
【図４】
2010272103.tif 000006
【図５】
2010272103.tif 000007
【図６】
2010272103.tif 000008
【図７】
2010272103.tif 000009
【図８】
2010272103.tif 000010
【図９】
2010272103.tif 000011